(57)【特許請求の範囲】
【請求項１】
ハンガーレール（１）に沿って走行する吊車（３）に吊り下げられた複数の間仕切壁（２）（２）を備え、対面する第１室内面（Ｗ）と第２室内面の間に複数の上記間仕切壁（２）（２）を直列状に配設して室内を間仕切りする移動間仕切壁構造に於て、
上記第１室内面（Ｗ）が、室内突出部（Ｋ）の突出先端面（Ｗ）であって、
上記ハンガーレール（１）は、平面視において、上記突出先端面（Ｗ）に直交状に配設される直交状レール部（16）と、上記突出先端面（Ｗ）の近傍で直交状レール部（16）の前後一端部と連設される第１のＴ字状分岐部（17）と、該第１のＴ字状分岐部（17）の左右一端部に連設され上記突出先端面（Ｗ）に平行状に配設される第１平行状レール部（18）と、上記第１のＴ字状分岐部（17）の左右他端部に連設され上記突出先端面（Ｗ）に平行状に配設される第２平行状レール部（19）と、を有するＴ字型の第１レール部（７）を備え、
さらに、上記ハンガーレール（１）は、平面視において、上記間仕切壁（２）を上記突出先端面（Ｗ）に直交状に走行させると共に上記直交状レール部（16）とレール幅方向中心線（Ｓ１）が一致するように配設された間仕切レール部（11）と、上記直交状レール部（16）の前後他端部近傍で上記間仕切レール部（11）の前後一端部と連設される第２のＴ字状分岐部（12）と、上記間仕切レール部（11）に該第２のＴ字状分岐部（12）を介して連設され上記間仕切壁（２）の一端部（２ａ）側を左右一方へ誘導したのちに上記突出先端面（Ｗ）に接近させるためのＬ字状の第１収納レール部（13）と、上記間仕切レール部（11）に上記第２のＴ字状分岐部（12）を介して連設され上記間仕切壁（２）の他端部（２ｂ）側を左右他方へ誘導したのちに上記突出先端面（Ｗ）に接近させるためのＬ字状の第２収納レール部（14）と、を有する二又フォーク型の第２レール部（８）を備え、
上記第１レール部（７）に、１枚の上記間仕切壁（２）を対応させ、上記第２レール部（８）に、複数の上記間仕切壁（２）（２）を対応させて、上記突出先端面（Ｗ）に直交状の間仕切姿勢から、上記突出先端面（Ｗ）に平行状の収納姿勢に変化させ、上記間仕切壁（２）を上記突出先端面（Ｗ）に対面状に配設した並列状に収納するように構成し、
さらに、上記間仕切壁（２）の幅寸法（Ｊ）を、上記突出先端面（Ｗ）の幅寸法（Ｑ）の８０％以上１２０％以下に設定したことを特徴とする移動間仕切壁構造。
【発明の詳細な説明】
【技術分野】
【０００１】
本発明は、移動間仕切壁構造に関する。
【背景技術】
【０００２】
従来、展示室や式場等の室内空間を区画するための移動間仕切壁構造は、室内の天井側に設けたハンガーレールと、ハンガーレールに沿って走行する吊車と、吊車に吊り下げられた複数の間仕切壁と、を備えていた（例えば、特許文献１参照）。
【先行技術文献】
【特許文献】
【０００３】
【特許文献１】特開２００６−１４４２９３号公報
【発明の概要】
【発明が解決しようとする課題】
【０００４】
しかし、図15に示すように、従来の移動間仕切壁構造は、室内において対面する第１室内面98と第２室内面99の間を第二点鎖線で示すように複数の間仕切壁91，91を直列状に配設した間仕切状態から、収納するために、間仕切壁91を第１室内面98に直交状に支持する間仕切レール部92と、間仕切レール部92と連設され第１室内面98近傍でＬ字状に折れ曲がる方向変換部93と、方向変換部93と連設され収納室等の収納空間90近傍まで移動間仕切壁91を第１室内面98に平行状に移動させる搬送レール部94と、を走行し、さらに、平面視にて搬送レール部94から直交方向に連続状に伸びると共に互いに平行な一対の収納レール部95，95を走行させ、実線で示す間仕切壁91，91のように、収納空間90へ収納されていた。
このような構造は、間仕切壁91を収納・引出し搬送する距離が長く、手間や時間がかかるといった問題や、間仕切壁91を搬送する際に障害とならないように、搬送レール部94や収納レール部95，95の下方位置に、家具や事務具、装飾品等を配置できないといった問題があった。
【０００５】
そこで、本発明は、間仕切壁の収納・引出し搬送の移動距離が短く、室内に間仕切壁を搬送するための空間を広く長く確保する必要がない移動間仕切壁構造の提供を目的とする。
【課題を解決するための手段】
【０００６】
上記目的を達成するために、本発明の移動間仕切壁構造は、ハンガーレールに沿って走行する吊車に吊り下げられた複数の間仕切壁を備え、対面する第１室内面と第２室内面の間に複数の上記間仕切壁を直列状に配設して室内を間仕切りする移動間仕切壁構造に於て、上記第１室内面が、室内突出部の突出先端面であって、上記ハンガーレールは、平面視において、上記突出先端面に直交状に配設される直交状レール部と、上記突出先端面の近傍で直交状レール部の前後一端部と連設される第１のＴ字状分岐部と、該第１のＴ字状分岐部の左右一端部に連設され上記突出先端面に平行状に配設される第１平行状レール部と、上記第１のＴ字状分岐部の左右他端部に連設され上記突出先端面に平行状に配設される第２平行状レール部と、を有するＴ字型の第１レール部を備え、さらに、上記ハンガーレールは、平面視において、上記間仕切壁を上記突出先端面に直交状に走行させると共に上記直交状レール部とレール幅方向中心線が一致するように配設された間仕切レール部と、上記直交状レール部の前後他端部近傍で上記間仕切レール部の前後一端部と連設される第２のＴ字状分岐部と、上記間仕切レール部に該第２のＴ字状分岐部を介して連設され上記間仕切壁の一端部側を左右一方へ誘導したのちに上記突出先端面に接近させるためのＬ字状の第１収納レール部と、上記間仕切レール部に上記第２のＴ字状分岐部を介して連設され上記間仕切壁の他端部側を左右他方へ誘導したのちに上記突出先端面に接近させるためのＬ字状の第２収納レール部と、を有する二又フォーク型の第２レール部を備え、上記第１レール部に、１枚の上記間仕切壁を対応させ、上記第２レール部に、複数の上記間仕切壁を対応させて、上記突出先端面に直交状の間仕切姿勢から、上記突出先端面に平行状の収納姿勢に変化させ、上記間仕切壁を上記突出先端面に対面状に配設した並列状に収納するように構成し、さらに、上記間仕切壁の幅寸法を、上記突出先端面の幅寸法の８０％以上１２０％以下に設定した構造である。
【発明の効果】
【０００７】
本発明によれば、収納や引出しのために間仕切壁を長距離移動させる必要がなく迅速かつ容易に収納及び間仕切りを行うことができる。間仕切壁の搬送空間を室内に広く長く確保する必要がなく、家具や事務具、装飾品等の配置の自由度を向上できる。ハンガーレールの範囲が狭く、容易かつ迅速に施工を行うことができる。間仕切壁の収納専用となるような収納室を設ける必要がなく、様々な間取りに容易に対応できる。
【図面の簡単な説明】
【０００８】
【図１】本発明の移動間仕切壁構造の実施の一形態を示す断面平面図である。
【図２】図１のＡ−Ａ断面図である。
【図３】図１のＢ−Ｂ断面図である。
【図４】ハンガーレールの一例を示す断面平面図である。
【図５】一端部側の吊車とＴ字状分岐部を説明するための断面平面図である。
【図６】他端部側の吊車とＴ字状分岐部を説明するための断面平面図である。
【図７】本発明の実施の一形態の間仕切状態示す断面平面図である。
【図８】作用を説明するための断面平面図である。
【図９】作用を説明するための断面平面図である。
【図１０】作用を説明するための断面平面図である。
【図１１】作用を説明するための断面平面図である。
【図１２】作用を説明するための断面平面図である。
【図１３】作用を説明するための断面平面図である。
【図１４】収納完了状態を示す断面平面図である。
【図１５】従来技術を説明するための簡略平面図である。
【発明を実施するための形態】
【０００９】
以下、図示の実施形態に基づき本発明を詳説する。
本発明に係る移動間仕切壁構造は、図１乃至図４に示すように、間仕切りすべき室内の天井側に付設されるハンガーレール１と、ハンガーレール１に沿って走行する吊車３と、吊車３に吊り下げられた矩形板状の間仕切壁２と、を備え、室内において対面する第１室内面Ｗと図外の第２室内面の間に、複数の間仕切壁２を直列状に配設して室内を間仕切りするための構造である。
【００１０】
ハンガーレール１は、横断面矩形状であって、内部に吊車３が走行する走行空間50を有し、吊車３が上面58ａを走行する底壁58と、底壁58にハンガーレール１の長手方向に沿って（平面視レール幅方向中心線Ｓ１に沿って）形成した下方開口状のスリット部59と、を有している。
【００１１】
吊車３は、間仕切壁２の厚み方向中心線Ｓ２が、平面視で第１室内面Ｗに直交状に配設される間仕切姿勢（基準姿勢）において、第１室内面Ｗ側（収納移動開始の際に先頭側）となる一端部２ａ側と、図外の第２室内面側（収納移動開始の際に後尾側）となる他端部２ｂ側と、に対応するように、前後一対設けている。
【００１２】
吊車３は、間仕切壁２の上端部２ｅと連結する吊下軸部材31が取着された基台部32と、基台部32に枢着され底壁58の上面58ａを水平状軸心廻りに転動する左右一対の重量支持車輪33，33と、基台部32の下部に下方突出状に設けられ吊下軸部材31を挟んで前後一対に設けられスリット部59の開口側縁部59ａ，59ａに案内されて鉛直状軸心廻りに転動するガイドローラ34，34と、を備えている。
基台部32は、間仕切壁２に対して、吊下軸部材31の鉛直状吊下軸心Ｌ３廻りに回転自在に設けている。また、左右の重量支持車輪33，33を前後一対、合計で４つ設けている。
【００１３】
さらに、吊車３は、基台部32の上部に、上方突出状の方向変換ローラ36，36を前後一対、設けている。
そして、間仕切姿勢において、（前後）一端部２ａ側の吊車３（第１吊車３Ａ）と、（前後）他端部２ｂ側の吊車３（第２吊車３Ｂ）の方向変換ローラ36，36の左右位置が、相違するように左右に偏在させている。
【００１４】
つまり、吊車３（基台部32）の左右方向中心線Ｓ３に対して（を基準に）、第１吊車３Ａの方向変換ローラ36，36（第１方向変換ローラ36Ａ，36Ａ）の第１鉛直状回転軸心Ｌａを左右一方側に配設し、第２吊車３Ｂの方向変換ローラ36，36（第２方向変換ローラ36Ｂ，36Ｂ）の第２鉛直状回転軸心Ｌｂを左右他方側に配設している。
なお、間仕切姿勢において、平面視で、ハンガーレール１のレール幅方向中心線Ｓ１と、スリット部59のスリット幅方向中心線Ｓ59と、吊車３の左右方向中心線Ｓ３と、間仕切壁２の厚み方向中心線Ｓ２と、が一致するように配設している。
【００１５】
図４に示すように、ハンガーレール１は、平面視で第１室内面Ｗに直交状に第１室内面Ｗ寄りに配設される直交状レール部16と、第１室内面Ｗの近傍（第１室内面Ｗから所定第１寸法だけ離れた位置）で直交状レール部16の前後一端部と連設され吊車３の走行ルートが左右にＴ字状に分岐する第１のＴ字状分岐部17と、第１のＴ字状分岐部17の左右一端部に連設され平面視で第１室内面Ｗに平行状に配設される長寸平行状レール部（第１平行状レール部)18と、第１のＴ字状分岐部17の左右他端部に連設され平面視で第１室内面Ｗに平行状に配設される（長寸平行状レール部18よりも短い）短寸平行状レール部（第２平行状レール部）19と、を有している。
つまり、ハンガーレール１は、直交状レール部16と、第１のＴ字状分岐部17と、短寸平行状レール部19と、（短寸平行状レール部19よりも長い）長寸平行状レール部18と、を有し、吊車３の走行ルートが左右非対称のＴ字型の第１レール部７を備えている。
【００１６】
さらに、ハンガーレール１は、直交状レール部16の前後他端部よりも第１室内面Ｗから離れた位置で、直交状レール部16と、レール幅方向中心線Ｓ１が（平面視で）一致するように、平面視で第１室内面Ｗに直交状に配設された間仕切レール部11を有している。間仕切レール部11の前後他端部側は、図外の第２室内面近傍まで設けられている。また、直交状レール部16の前後他端部近傍（第１室内面Ｗから所定第１寸法よりも長い所定第２寸法だけ離れた位置）で、間仕切レール部11の前後一端部側と連設され吊車３の走行ルートが左右にＴ字状に分岐する第２のＴ字状分岐部12を有している。
【００１７】
そして、ハンガーレール１は、第２のＴ字状分岐部12の左右一方端部に連設され平面視で第１室内面Ｗに平行状に配設される第１平行状部13ａと、第１平行状部13ａにＬ字状の第１曲がり部13ｄを介して連設され平面視で第１室内面Ｗに直交状に配設されると共に平面視で第１室内面Ｗに接近するように設けられる第１直交状部13ｂと、を有し、吊車３の走行ルートがＬ字状の第１収納レール部13を有している。
【００１８】
また、ハンガーレール１は、第２のＴ字状分岐部12の左右他方端部に連設され平面視で第１室内面Ｗに平行状に配設される第２平行状部14ａと、第２平行状部14ａにＬ字状の第２曲がり部14ｄを介して連設され平面視で第１室内面Ｗに直交状に配設されると共に平面視で第１室内面Ｗに接近するように設けられる第２直交状部14ｂと、を有し、吊車３の走行ルートがＬ字状の第２収納レール部14を有している。
つまり、ハンガーレール１は、間仕切レール部11と、第２のＴ字状分岐部12と、第１収納レール部13と、第２収納レール部14と、を有し、吊車３の走行ルートが左右対称の二又のフォーク型（音叉型）の第２レール部８を備えている。
【００１９】
図５及び図６に示すように、Ｔ字状分岐部12，17において、走行空間50の上部に、吊車３の方向変換ローラ36，36が転動する誘導案内部51を設けている。
図５に示すように、誘導案内部51は、第１室内面Ｗへ向かうように走行してきた第１吊車３Ａの方向変換ローラ36，36を案内して、吊車３を左右一方へ方向変換させる平面視Ｌ字型の第１弯曲誘導路52と、図６に示すように、第１室内面Ｗへ向かうように走行してきた第２吊車３Ｂの方向変換ローラ36，36を案内して、吊車３を左右他方へ方向変換させる平面視Ｌ字型の第２弯曲誘導路53と、を形成している（有している）。第１弯曲誘導路52と第２弯曲誘導路53とを、走行空間50内で同じ高さ位置に設けている。
【００２０】
次に、間仕切状態について説明する。図７に二点鎖線で示すように、第１レール部７に１枚の間仕切壁２（第１間仕切壁２Ａ）を対応させ、第２レール部８に複数（枚）の間仕切壁２，２を対応させる。なお、図７乃至図14において、吊車３は方向変換ローラ36，36のみを図示している。
【００２１】
第２レール部８において、複数の間仕切壁２，２は、間仕切レール部11に沿って直列状に隙間なく配設され、図外の第２室内面に最も近い間仕切壁（最後尾の間仕切壁）２は、第２室内面に当接して間仕切りするように構成している。
なお、第２レール部８において直列状となった複数の間仕切壁２，２の内、第１室内面Ｗに最も近い間仕切壁２を、第２間仕切壁２Ｂと呼ぶ。
【００２２】
また、第２間仕切壁２Ｂと、第１レール部８において第１室内面Ｗに直交状に配設された第１間仕切壁２Ａと、が隙間無く直列状に配設されるように構成している。
【００２３】
また、第１間仕切壁２Ａは、一端部２ａ側に、第１室内面Ｗへ向かって突出して、第１室内面Ｗに当接する出し入れ自在な可動側壁部材61を備えている。
また、第１室内面Ｗが、図示のように、柱等の室内突出部Ｋの突出先端面Ｗであって、室内突出部Ｋの幅方向（左右方向）中心線Ｓｋに、間仕切レール部11及び直交状レール部16のレール幅方向中心線Ｓ１を、平面視で一致するように（一直線状に）配設している。
【００２４】
つまり、第１間仕切壁２Ａの可動側壁部材61が第１室内面Ｗに当接し、第１間仕切壁２Ａ（の他端部２ｂ側）と第２間仕切壁２Ｂ（の一端部２ａ側）が隙間なく当接し、間仕切レール部11に対応した複数の間仕切壁２，２同士（一端部２ａ側と他端部２ｂ側）が当接すると共に、最後尾の間仕切壁２の他端部２ｂが図外の第２室内面と当接して、第１室内面Ｗと第２室内面の間に複数の間仕切壁２，２が直列状に配設されて、室内を間仕切りするように構成している。
【００２５】
次に、本発明の移動間仕切壁構造の作用及び収納方法について説明する。
図７の間仕切状態から、第１間仕切壁２Ａの可動側壁部材61を収納させる。
そして、第１間仕切壁２Ａの一端部２ａを第１室内面Ｗへ接近させると、第１方向変換ローラ36Ａ，36Ａが、第１のＴ字状分岐部17の第１弯曲誘導路52に案内され、第１吊車３Ａが吊下軸心Ｌ３廻りに回転して、左右一方へ向かって走行するように方向変換される（図５参照）。そして、図８に示すように、第１間仕切壁２Ａの一端部２ａが左右一方へ移動し、他端部２ｂが、第２間仕切壁２Ｂの一端部２ａから離間する。
【００２６】
さらに、図９に示すように、第１間仕切壁２Ａの一端部２ａを左右一方へ移動させると、第２方向変換ローラ36Ｂ，36Ｂが、第１のＴ字状分岐部17の第２弯曲誘導路53に案内され、第２吊車３Ｂが吊下軸心Ｌ３廻りに回転して、左右他方へ向かって走行するように方向変換され）（図６参照）、第１間仕切壁２Ａが第１室内面Ｗと平面視平行状の収納姿勢となる。そして、図10に示すように、第１間仕切壁２Ａの他端部２ｂを左右他方へ移動させ、第１間仕切壁２Ａの一方の仕切面２ｄが第１室内面Ｗと対面する収納状態となる。
【００２７】
ここで、第１室内面Ｗが、図示のように、柱等の室内突出部Ｋの突出先端面Ｗであって、室内突出部Ｋの幅方向（左右方向）中心線Ｓｋに、第１間仕切壁２Ａの幅方向中心線Ｓａが略一致するように、第１間仕切壁２Ａの他端部２ｂの左右他方側への移動を規制するストッパ部（図示省略）を、第１レール部７の短寸平行状レール部19に設けている。
【００２８】
つまり、長寸平行状レール部18は、第１間仕切壁２Ａの一端部２ａを、平面視で、室内突出部Ｋの幅方向中心線Ｓｋから左右一方へ離間させて、第１間仕切壁２Ａの他端部２ｂを、第１室内面Ｗに接近させて、収納姿勢にするための先頭逃がし収納レール部である。また、短寸平行状レール部19は、収納姿勢となった第１間仕切壁２Ａの幅方向中心線Ｓａを、平面視で、室内突出部Ｋの幅方向中心線Ｓｋに一致させるように、第１間仕切壁２Ａの他端部２ｂの位置を調整するための位置決め収納レール部である。
【００２９】
さらに、図10に示すように、第２間仕切壁２Ｂの一端部２ａを、第１室内面Ｗへ接近させると、第１方向変換ローラ36Ａ，36Ａが、第２のＴ字状分岐部12の第１弯曲誘導路52に案内され、第１吊車３Ａが吊下軸心Ｌ３廻りに回転して、左右一方へ向かって走行するように方向変換される（図５参照）。さらに、一端部２ａを左右一方へ走行させると、第１ガイドローラ36Ａ，36Ａが、第１曲がり部13ｄの平面視Ｌ字弯曲状のスリット部59（59ｄ）にガイドされ、第１吊車３Ａは吊下軸心Ｌ３廻りに回転して、第１室内面Ｗへ向かうように方向変換する。
【００３０】
図11に示すように、第２間仕切壁２Ｂの一端部２ａ側を第１直交状部13ｂに沿って、第１室内面Ｗに接近させると、他端部２ｂ側で、第２方向変換ローラ36Ｂ，36Ｂが、第２のＴ字状分岐部12の第２弯曲誘導路53に案内され、第２吊車３Ｂが吊下軸心Ｌ３廻りに回転して、左右他方へ向かって走行するように方向変換される（図６参照）。さらに、他端部２ｂを左右他方へ走行させると、一端部２ａが第２室内面側へ戻され、図12に示すように、第２間仕切壁２Ｂが第１室内面Ｗと平面視平行状の収納姿勢となる。その後、一端部２ａ側（第１吊車３Ａ）を第１直交状部13ｂに沿って移動させると共に他端部２ｂ側（第２吊車３Ｂ）を第２直交状部14ｂに沿って移動させることで、収納姿勢のまま第１室内面Ｗに接近し、図13に示すように、第１間仕切壁２Ａと第２間仕切壁２Ｂが並列状の収納状態となる。
【００３１】
そして、残りの複数の間仕切壁２も同様に、第１室内面Ｗに直交状の間仕切姿勢で間仕切レール部11に沿って走行させ、第１方向変換ローラ36Ａ，36Ａを、第２のＴ字状分岐部12の第１弯曲誘導路52に通過させて、第１収納レール部13の第１平行状部13ａによって一端部２ａを左右一方へ誘導し、第２方向変換ローラ36Ｂ，36Ｂを、第２のＴ字状分岐部12の第２弯曲誘導路53に通過させて、第２収納レール部14の第２平行状部14ａによって他端部２ｂを左右他方へ誘導して、間仕切壁２を第１室内面Ｗに平行状の収納姿勢に変化させ、その後、収納姿勢のまま（一端部２ａと他端部２ｂを共に）、第１室内面Ｗに接近させて、図14に示すように、複数の間仕切壁２，２の一方の仕切面２ｄ，２ｄを第１室内面Ｗに対面状に配設した並列状に収納する。
なお、収納状態から間仕切状態にするには、図７乃至図14で説明した収納方法を逆の手順で行えば良い。
【００３２】
また、第１室内面Ｗが室内突出部Ｋの突出先端面Ｗであって、突出先端面Ｗの幅寸法Ｑに対して、間仕切壁２の幅寸法Ｊを、（突出先端面Ｗの幅寸法Ｑの）８０％以上１２０％以下、より好ましくは、８５％以上１１５％以下（０．８５Ｑ≦Ｊ≦１．１５Ｑ）に設定する。このように設定することで、収納状態において、室内突出部Ｋと並列状の複数の間仕切壁２，２が一体状に見え、収納状態での圧迫感や違和感が緩和され、美観に優れた収納状態とすることができる。また、間仕切壁２の外面の色を、第１室内面Ｗと同等色にするのが好ましい。室内との調和がとれ、美観に優れた収納状態が得られる。
【００３３】
なお、本発明は、設計変更可能であって、間仕切壁２は、上下方向出し入れ自在な天井側遮蔽部材、上下方向出し入れ自在な床側遮蔽部材、を備えるものでも良い。また、第１間仕切壁２Ａは、天井面と第１室内面Ｗによって形成される隅部を塞ぐための隅部遮蔽部材を突出・収納自在に備えても良い。なお、本発明において、平面視で第１室内面Ｗに平行な方向を左右方向と呼び、直交する方向を前後方向と呼んでいる。また、ハンガーレール１の各レール部の名称（説明）として用いた「Ｔ字状」「Ｌ字状」「直交状」「平行状」「Ｔ字型」「フォーク型」等は、平面視の吊車３の走行ルート（吊車３が実際に走行する走行路）を意味する。そして、ハンガーレール１の構造上の形状は自由である。
【００３４】
以上のように本発明の移動間仕切壁構造は、ハンガーレール１に沿って走行する吊車３に吊り下げられた複数の間仕切壁２，２を備え、対面する第１室内面Ｗと第２室内面の間に複数の間仕切壁２，２を直列状に配設して室内を間仕切りする移動間仕切壁構造に於て、ハンガーレール１は、間仕切壁２を第１室内面Ｗに直交状に走行させる間仕切レール部11と、間仕切レール部11にＴ字状分岐部12を介して連設され間仕切壁２の一端部２ａ側を左右一方へ誘導したのちに第１室内面Ｗに接近させるためのＬ字状の第１収納レール部13と、間仕切レール部11にＴ字状分岐部12を介して連設され間仕切壁２の他端部２ｂ側を左右他方へ誘導したのちに第１室内面Ｗに接近させるためのＬ字状の第２収納レール部14と、を備え、間仕切壁２を、第１室内面Ｗに直交状の間仕切姿勢から、第１室内面Ｗに平行状の収納姿勢に変化させ、複数の間仕切壁２を上記第１室内面Ｗに対面状に配設した並列状に収納するように構成したので、間仕切壁２を収納作業や間仕切り作業の際に、長距離移動させる必要がなく迅速かつ容易に収納及び間仕切りを行うことができる。間仕切壁２の搬送空間を室内に広く長く確保する必要がなく、家具や事務具、装飾品等を自由に配置できる。ハンガーレール１の設置が範囲が狭く、容易かつ迅速に施工を行うことができる。間仕切壁２の収納専用となるような収納室を設ける必要がなく、様々な間取りに容易に対応できる。
【００３５】
また、吊車３は、間仕切壁２の一端部２ａ側と、間仕切壁２の他端部２ｂ側と、に対応するように一対設けられ、ハンガーレール１内部の走行空間50の上部に設けられた誘導案内部51に転動する方向変換ローラ36，36を有するものであって、間仕切姿勢において、一端部２ａ側の吊車３Ａの方向変換ローラ36と、他端部２ｂ側の吊車３Ｂの方向変換ローラ36の左右位置が相違するように左右に偏在させたので、Ｔ字状分岐部12，17において吊車３が、確実に所定の方向へ走行するように方向変換できる。スムーズに間仕切壁２の姿勢変更を行うことができる。第１吊車３Ａの方向変換ローラ36Ａ，36Ａと、第２吊車３Ｂの方向変換ローラ36Ｂ，36Ｂの高さ位置を相違させて、誘導案内部51を上下二段型に設けた（高さを相違させた）場合に比べて、ハンガーレール１の走行空間50を低く（小さく）でき、ハンガーレール１の軽量化や小型化を実現できると共に施工が容易となる。
【符号の説明】
【００３６】
１  ハンガーレール
２  間仕切壁
２ａ  一端部
２ｂ  他端部
３  吊車
３Ａ  一端部側の吊車
３Ｂ  他端部側の吊車
７ 第１レール部
８ 第２レール部
11  間仕切レール部
12  第２のＴ字状分岐部
13  第１収納レール部
14  第２収納レール部
16 直交状レール部
17 第１のＴ字状分岐部
18 第１平行状レール部
19 第２平行状レール部
36  方向変換ローラ
50  走行空間
51  誘導案内部
Ｋ 室内突出部
Ｊ 間仕切壁の幅寸法
Ｑ 突出先端面の幅寸法
Ｓ１ レール幅方向中心線
Ｗ  第１室内面（突出先端面）
【要約】
【課題】間仕切壁の収納・引出し搬送の移動距離が短く、室内に間仕切壁を搬送するための空間を大きく確保する必要のない移動間仕切壁構造を提供する。
【解決手段】ハンガーレール１に沿って走行する吊車に吊り下げられた複数の間仕切壁２，２を備え、対面する第１室内面Ｗと第２室内面の間に複数の上記間仕切壁２，２を直列状に配設して室内を間仕切りする移動間仕切壁構造であって、ハンガーレール１は、間仕切壁２を第１室内面Ｗに直交状に走行させる間仕切レール部11と、間仕切レール部11にＴ字状分岐部12を介して連設され間仕切壁２の一端部２ａ側を左右一方へ誘導したのちに第１室内面Ｗに接近させるためのＬ字状の第１収納レール部13と、間仕切レール部11にＴ字状分岐部12を介して連設され間仕切壁２の他端部２ｂ側を左右他方へ誘導したのちに第１室内面Ｗに接近させるためのＬ字状の第２収納レール部14と、を備え、間仕切壁２を、第１室内面Ｗに直交状の間仕切姿勢から、第１室内面Ｗに平行状の収納姿勢に変化させ、複数の間仕切壁２を上記第１室内面Ｗに対面状に配設した並列状に収納するように構成した。
【選択図】図10【図１】
0005468170.tif 000002
【図２】
0005468170.tif 000003
【図３】
0005468170.tif 000004
【図４】
0005468170.tif 000005
【図５】
0005468170.tif 000006
【図６】
0005468170.tif 000007
【図７】
0005468170.tif 000008
【図８】
0005468170.tif 000009
【図９】
0005468170.tif 000010
【図１０】
0005468170.tif 000011
【図１１】
0005468170.tif 000012
【図１２】
0005468170.tif 000013
【図１３】
0005468170.tif 000014
【図１４】
0005468170.tif 000015
【図１５】
0005468170.tif 000016